(57)【要約】【課題】簡単かつ容易に、しかも誰もが速やかに電池を脱着できるようにする。ロックカバーのロックの解除と電池の押し出しをひとつの動作で実現して、単一の動作で電池を簡単に取り外す。【解決手段】電気機器は、電池９を脱着できるように収納する収納部４を有するケース１と、このケース１の収納部４を開閉するように連結され、収納部４を閉塞する状態で係止されるロックカバー２と、このロックカバー２のロック状態を解除するようにケース１に設けているロック解除レバー３とを備える。ロック解除レバー３は、収納部４に装着している電池９を押し出す押出凸部３１を有する。電気機器は、ロック解除レバー３がロック位置から解除位置に移動されると、ロックカバー２のロック状態が解除されると共に、押出凸部３１が電池９を収納部４から押し出すようにしている。【選択図】図２４
2005129421.tif 000002
【特許請求の範囲】
【請求項１】
電池(9)を脱着できるように収納する収納部(4)を有するケース(1)と、このケース(1)の収納部(4)を開閉するように連結され、収納部(4)を閉塞する状態で係止されるロックカバー(2)と、このロックカバー(2)のロック状態を解除するようにケース(1)に設けているロック解除レバー(3)を備えており、
ロック解除レバー(3)が、収納部(4)に装着している電池(9)を押し出す押出凸部(31)を有し、ロック解除レバー(3)が、ロック位置から解除位置に移動されると、ロックカバー(2)のロック状態が解除されると共に、押出凸部(31)が電池(9)を収納部(4)から押し出すようにしてなる脱着自在に電池が装着される電気機器。
【請求項２】
ロック解除レバー(3)が、ロックカバー(2)を押して開く開き凸部(32)を備えており、ロック解除レバー(3)がロック位置から解除位置に移動されると、ロックカバー(2)のロック状態を解除すると共に、開き凸部(32)がロックカバー(2)を強制的に押し開くようにしてなる請求項１に記載される脱着自在に電池が装着される電気機器。
【請求項３】
ケース(1)の内面に突出して、弾性的に変形する弾性リブ(47)を設けており、ロック解除レバー(3)には、弾性リブ(47)に当接して、弾性リブ(47)に弾性的に押圧される押圧部(35)を設けており、ロック解除レバー(3)がロック位置から解除位置に移動されると、ロックカバー(2)のロック状態が解除されると共に、弾性リブ(47)がロック解除レバー(3)の押圧部(35)を弾性的に押圧して、ロック解除レバー(3)を解除位置からロック位置に弾性的に復帰させるようにしてなる請求項１に記載される脱着自在に電池が装着される電気機器。
【請求項４】
ロック解除レバー(3)が、ロックカバー(2)に設けているロック係止部(23)に係止されて、ロックカバー(2)をロック状態とするロック凸部(33)を有し、ロック解除レバー(3)がロック位置にあっては、ロック凸部(33)がロック係止部(23)に係止されて、ロックカバー(2)をロック状態に係止する請求項１に記載される脱着自在に電池が装着される電気機器。
【請求項５】
ロック解除レバー(3)が、両側に突出する回転軸(34)を備えており、この回転軸(34)を回転できるように支持する軸受リブ(46)をケース(1)の内面に突出して設けており、ロック解除レバー(3)が回転軸(34)を中心に傾動して、ロック位置と解除位置とに移動するようにしてなる請求項１に記載される脱着自在に電池が装着される電気機器。
【請求項６】
ロックカバー(2)が係止凸部(25)を有し、ケース(1)は係止凸部(25)を係止するストッパ凹部(18)を備えており、係止凸部(25)をストッパ凹部(18)に係止して、ロックカバー(2)をクリック状態で閉塞するようにしてなる請求項１に記載される脱着自在に電池が装着される電気機器。
【請求項７】
ロック解除レバー(3)がロック位置から解除位置に移動されると、ロックカバー(2)が開かれて係止凸部(25)とストッパ凹部(18)の係止状態が解除されると共に、ロック解除レバー(3)が解除位置からロック位置に復帰した後も、係止凸部(25)がケース(1)の側面に当接して、ロックカバー(2)を開状態に保持するようにしてなる請求項６に記載される脱着自在に電池が装着される電気機器。
【請求項８】
押出凸部(31)が電池(9)の凸部電極側を収納部(4)から押し出しする位置に配設され、収納部(4)には電池(9)の平面電極側を弾性的に押圧する弾性端子(6)を配設しており、凸部電極側が押出凸部(31)で押し出される状態で、弾性端子(6)が電池(9)を押圧して、電池(9)を押し出し状態に保持する請求項１に記載される脱着自在に電池が装着される電気機器。
【発明の詳細な説明】
【技術分野】
【０００１】
本発明は、主として充電器のように、脱着自在に電池を装着する電気機器に関する。
【背景技術】
【０００２】
脱着できるように電池を装着している電気機器は、電池を正確な位置にセットすることが大切である。電池の位置ずれは接触不良の原因となって、電池を確実に安定して電気機器に電気接続できなくなるからである。このため、電池を電源に使用する電気機器は、電池を正確な位置にセットできる構造の収納部をケースに設けている（特許文献１参照）。
【特許文献１】特開２００３−１６８４８６号公報
【０００３】
この公報には、図１に示すように、複数の電池を充電する充電器が記載されている。充電器は、複数の電池６９を平行に並べて定位置にセットする収納部６４をケース６１の上面に開口して設けている。収納部６４の底は、電池６９を正確な位置に装着するために、円筒型電池を嵌入できるセット溝６５を設けている。図の充電器は、４本の電池６９を装着して充電するので、４列のセット溝６５を設けている。セット溝６５は、円筒型電池の表面に沿う形状としている。
【発明の開示】
【発明が解決しようとする課題】
【０００４】
以上の公報に記載されるように、電池を溝に嵌入する構造は、電池を正確な位置に装着できる。しかしながら、収納部に装着した電池を簡単に取り出しできない欠点がある。とくに、図に示すように複数の電池を並べて装着する電気機器は、電池の間の隙間が狭く、ここに指を入れて電池を簡単に抜き取ることができない。また、電池が溝に密着されるので、電池と溝との間にも指を入れることができず、このことも電池を簡単に取り出すのを難しくしている。さらに、収納部に装着された電池は、電気機器との接触不良を防止するために、その両端に端子を押圧している。端子が電池の両端を弾性的に押圧していることも、電池を簡単に外すのを難しくする。
【０００５】
また、図１に示すように、ケース６１に設けた収納部６４をカバー６２で閉塞する電気機器は、電池６９を確実に正確な位置にセットできる。電池６９を正確に装着できないと、カバー６２を閉めることができないからである。また、この構造は電池が高温になってもカバーで保護されて安全に使用できる特長もある。このような特長から、この構造の電気機器は、たとえば子供用の電気機器に利用して、安全に使用できる特長がある。しかしながら、この構造の電気機器は、電池の脱着に手間がかかることに加えて、電池を脱着するときにはカバーを開閉するので、電池の脱着に極めて手間がかかる欠点がある。
【０００６】
本発明は、従来のこのような欠点を解決することを目的に開発されたものである。本発明の重要な目的は、簡単かつ容易に、しかも誰もが速やかに電池を脱着できる電気機器を提供することにある。
さらに、本発明の他の大切な目的は、ロックカバーで電池を正確な位置にセットしながら、ロックカバーのロックの解除と電池の押し出しをひとつの動作で実現することにより、単一の動作で電池を簡単に取り外すことができる電気機器を提供することにある。
【課題を解決するための手段】
【０００７】
本発明の脱着自在に電池が装着される電気機器は、電池９を脱着できるように収納する収納部４を有するケース１と、このケース１の収納部４を開閉するように連結され、収納部４を閉塞する状態で係止されるロックカバー２と、このロックカバー２のロック状態を解除するようにケース１に設けているロック解除レバー３とを備える。ロック解除レバー３は、収納部４に装着している電池９を押し出す押出凸部３１を有する。電気機器は、ロック解除レバー３がロック位置から解除位置に移動されると、ロックカバー２のロック状態が解除されると共に、押出凸部３１が電池９を収納部４から押し出すようにしている。
【０００８】
本発明の請求項２の電気機器は、ロック解除レバー３がロックカバー２を押して開く開き凸部３２を備えており、ロック解除レバー３がロック位置から解除位置に移動されると、ロックカバー２のロック状態を解除すると共に、開き凸部３２がロックカバー２を強制的に押し開くようにしている。
【０００９】
本発明の請求項３の電気機器は、ケース１の内面に突出して、弾性的に変形する弾性リブ４７を設けており、ロック解除レバー３には、弾性リブ４７に当接して、弾性リブ４７に弾性的に押圧される押圧部３５を設けている。この電気機器は、ロック解除レバー３がロック位置から解除位置に移動されると、ロックカバー２のロック状態が解除されると共に、弾性リブ４７がロック解除レバー３の押圧部３５を弾性的に押圧して、ロック解除レバー３を解除位置からロック位置に弾性的に復帰させる。
【００１０】
本発明の請求項４の電気機器は、ロック解除レバー３が、ロックカバー２に設けているロック係止部２３に係止されて、ロックカバー２をロック状態とするロック凸部３３を有する。この電気機器は、ロック解除レバー３がロック位置にある状態では、ロック凸部３３がロック係止部２３に係止されて、ロックカバー２をロック状態に係止する。
【００１１】
本発明の請求項５の電気機器は、ロック解除レバー３が、両側に突出する回転軸３４を備えており、この回転軸３４を回転できるように支持する軸受リブ４６をケース１の内面に突出して設けている。この電気機器は、ロック解除レバー３が回転軸３４を中心に傾動して、ロック位置と解除位置とに移動する。
【００１２】
本発明の請求項６の電気機器は、ロック解除レバー３が係止凸部２５を有し、ケース１は係止凸部２５を係止するストッパ凹部１８を備えており、係止凸部２５をストッパ凹部１８に係止して、ロックカバー２をクリック状態で閉塞する。
【００１３】
さらに、本発明の請求項７の電気機器は、ロック解除レバー３がロック位置から解除位置に移動されると、ロックカバー２が開かれて係止凸部２５とストッパ凹部１８の係止状態が解除されると共に、ロック解除レバー３が解除位置からロック位置に復帰した後も、係止凸部２５がケース１の側面に当接して、ロックカバー２を開状態に保持する。
【００１４】
さらに、本発明の請求項８の電気機器は、押出凸部３１を電池９の凸部電極側を収納部４から押し出しする位置に配設しており、収納部４には電池９の平面電極側を弾性的に押圧する弾性端子６を配設している。この電気機器は、凸部電極側が押出凸部３１で押し出される状態で、弾性端子６が電池９を押圧して、電池９を押し出し状態に保持する。
【発明の効果】
【００１５】
本発明の電気機器は、簡単かつ容易に、しかも誰もが速やかに電池を脱着できる特長がある。それは、本発明の電気機器が、電池を収納する収納部を開閉するようにロックカバーを連結すると共に、収納部を閉塞する状態で係止されるロックカバーのロック状態をロック解除レバーで解除する構造としており、このロック解除レバーに、収納部に装着している電池を押し出す押出凸部を設けているからである。この電気機器は、ロック解除レバーをロック位置から解除位置に移動すると、ロックカバーのロック状態が解除されると共に、押出凸部が電池を収納部から押し出す。このため、収納部に装着される電池を押し上げて取り出しやすくできる。とくに、本発明の電気機器は、ロックカバーで電池を正確な位置にセットしながら、ロックカバーのロックの解除と電池の押し出しをひとつの動作で実現できるので、単一の動作で電池を簡単に外すことができる。
【発明を実施するための最良の形態】
【００１６】
以下、本発明の実施例を図面に基づいて説明する。ただし、以下に示す実施例は、本発明の技術思想を具体化するための電気機器を例示するものであって、本発明は電気機器を以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図２ないし図８に示す電気機器は充電器である。ただし、本発明は、電池が装着される電気機器を充電器に特定しない。電気機器は、電池を脱着できるようにケースに収納している全ての電気機器、たとえばゲーム機、デジタルカメラ等の電気機器とすることもできる。
【００１９】
図の電気機器は、電池を脱着できるように収納する収納部４を有するケース１と、このケース１に、収納部４を開閉するように連結しているロックカバー２と、ロックカバー２のロック状態を解除するようにケース１に設けているロック解除レバー３とを備えている。
なお、この実施例における電気機器は、とくにことわらない限りは、図２、図４及び図５に示す中心線ｍを対称の軸として、左右対称に構成している。したがって、対称の軸である中心線ｍの片側に存在する各構成要素は、線対称の位置である反対側にも存在して同様のはたらきをするものとしてその説明を省略する。
【００２０】
ケース１は、下ケース１Ｂと、この下ケース１Ｂに連結している上ケース１Ａとからなる。下ケース１Ｂと上ケース１Ａはプラスチックの成形品である。下ケース１Ｂは、平面形状を長方形とし、その周囲に周壁を一体的に成形して設けている。下ケース１Ｂは、周壁の内側に、充電回路を実現する電子部品を実装する回路基板５を収納している。上ケース１Ａは上面を電池の収納部４としている。充電器は、複数の円筒型電池を平行に水平に並べて装着する。図の充電器は、２本の円筒型電池を水平に横２列に並べて収納する収納部４を上ケース１Ａの上面に設けている。上ケース１Ａの収納部４は、円筒型電池を定位置に嵌入して装着するセット溝４０を設けている。セット溝４０は、上面を円筒型電池の外側面に沿う湾曲面としている。
【００２１】
上ケース１Ａは、収納部４の両端に、第１の突出部１ａと第２の突出部１ｂを設けている。第２の突出部１ｂには、円筒型電池の平面電極に弾性的に押圧される弾性端子６を設けている。弾性端子６は弾性変形できる金属線で、図６に示すように、第２の突出部１ｂから収納部４に弾性的に突出している。図の弾性端子６は、中央を突出させる山形に金属線を折曲している。
【００２２】
さらに、第２の突出部１ｂは、図８と図９に示すように、ロックカバー２を傾動できるように連結する連結軸１０を設けている。連結軸１０は、第２の突出部１ｂの両側に一体的に成形して設けられる。この連結軸１０は、ロックカバー２の側壁２０の連結部２１の内面に設けている軸穴２２に案内されて、ロックカバー２を傾動できるように連結する。したがって、第２の突出部１ｂの両側に設けている一対の連結軸１０は、互いに直線上に配置されている。
【００２３】
上ケース１Ａは、図８と図９に示すように、第２の突出部１ｂの両側であって、連結軸１０を設けている部分に、ロックカバー２の側壁２０の連結部２１を連結する互いに平行な回動面１１を設けている。さらに、第２の突出部１ｂは、上面から両側面に向かって、ロックカバー２の端縁部分を嵌入するための低段差部１２を設けている。低段差部１２は、ロックカバー２を閉じる状態で、ここに嵌入されるロックカバー２の端縁部分の厚さにほぼ等しくしている。この電気機器は、図３に示すように、ロックカバー２を閉じる状態で、ロックカバー２の上面と第２の突出部１ｂの上面を同一面にできる。さらに、この低段差部１２には、電気機器の使用状態を示すパイロットランプ５０の光を外部に照射する光窓１３を開口している。
【００２４】
第１の突出部１ａは、図８と図１０に示すように、電池の凸部電極に接触させる金属端子７を固定している。この金属端子７は、電池の収納部４に表出するように、第１の突出部１ａに固定される。弾性端子６と金属端子７は、図１１と図１２に示すように、ケース１に内蔵される回路基板５に固定されて、ケース１の端子窓４１、４２から収納部４に表出している。
【００２５】
さらに、第１の突出部１ａには、ロック解除レバー３のツマミ部３０を外部に表出する開口窓１４を上面から端部に向かって開口している。開口窓１４は、図４に示すように、下ケース１Ｂにも設けている。上ケース１Ａと下ケース１Ｂの開口窓１４は、周壁の対向する位置に設けられ、上ケース１Ａと下ケース１Ｂとを連結する状態では、互いに連結されてひとつの開口窓１４となる。
【００２６】
さらに、第２の突出部１ｂには、外部から電源を供給するためのプラグ５１を連結するための挿入窓４８を設けている。この挿入窓４８は、図９に示すように、第２の突出部１ｂの端面であって、上ケース１Ａと下ケース１Ｂの周壁の対向する位置に設けている。この挿入窓４８も、上ケース１Ａと下ケース１Ｂとを連結する状態では、互いに連結されてひとつの挿入窓４８となる。挿入窓４８の内側には、図１１に示すように、プラグ５１が連結されるソケット５２を配設している。このソケット５２は回路基板５に固定しており、プラグ５１が接続される電源端子５３を挿入窓４８に表出している。図８に示すように、挿入窓４８から挿入されるプラグ５１がソケット５２に連結される状態で、外部から電気機器に電源が供給される。
【００２７】
さらに、上ケース１Ａは、図８のロックカバー２を外した平面図に示すように、ロック解除レバー３の押出凸部３１を、収納部４に突出させる押出開口４３を設けている。この押出開口４３は、セット溝４０の底部に開口されている。押出開口４３から収納部４に突出する押出凸部３１は、セット溝４０に装着される電池を押し上げて取り出しやすくする。
【００２８】
さらに、上ケース１Ａは、開き凸部３２を収納部４に突出させる開き開口４４も設けている。開き開口４４は、ロックカバー２を開くためにロック解除レバー３に設けている開き凸部３２を収納部４に突出させる。開き開口４４は、図８と図１０に示すように、セット溝４０の間で山形に突出する中間突出部４５に開口している。
【００２９】
さらにまた、上ケース１Ａの第１の突出部１ａには、ロック凸部３３を突出させるロック開口１５を設けている。ロック開口１５は、第１の突出部１ａの収納部４と対向する面に開口している。図１０ないし図１４に示すロック解除レバー３は、一対のロック凸部３３を備えるので、第１の突出部１ａには一対のロック開口１５を設けている。ロック凸部３３は、ロック解除レバー３に一体的に成形して設けられ、ロックカバー２を閉じる状態で、ロックカバー２のロック係止部２３に案内されて、ロックカバー２を閉じる状態に保持する。図に示す第１の突出部１ａは、上部に段差凹部１６を設けて、段差凹部１６にロック凸部３３が突出するようにロック開口１５を設けている。
【００３０】
上ケース１Ａは、下ケース１Ｂに連結する係止フック（図示せず）を一体的に成形して設けている。係止フックは、下ケース１Ｂの周壁内面に向かって突出して、周壁内面に設けている係止凹部（図示せず）に係止される。係止フックが上ケース１Ａを下ケース１Ｂに連結するケース１は、簡単に連結できる。ただし、上ケースと下ケースは、周壁を溶着し、あるいは接着し、あるいはまた溶着と接着と係止フックによる連結を組み合わせる構造で連結することもできる。
【００３１】
第１の突出部１ａと第２の突出部１ｂは、ロックカバー２を閉じる状態で、ロックカバー２の表面と同じ面となる湾曲した形状に成形している。
【００３２】
ロックカバー２は、透明のプラスチックを成形して製作される。このロックカバー２は、収納部４の上面開口部を開閉する形状で、上ケース１Ａに傾動できるように連結される。ロックカバー２は、図７の横断面図と図１５の底面斜視図に示すように、両側を円筒型電池の表面に沿う形状に湾曲させて、両側に側壁２０を設けている。側壁２０の端部には、ケース１に回動できるように連結する一対の連結部２１を突出して設けている。一対の連結部２１は、その内面の対向する位置に、軸穴２２を設けている。側壁２０の連結部２１に設けている軸穴２２は、ケース１に設けている連結軸１０を回転できるように案内して、ロックカバー２を傾動できるようにケース１に連結する。図１５のロックカバー２は、軸穴２２の周囲に突出するリブ２９を設け、このリブ２９の内側に軸穴２２を設けている。
【００３３】
さらに、ロックカバー２は、側壁２０の連結部２１の端縁に係止壁２４を一体的に成形して設けている。係止壁２４は、ケース１の回動面１１に設けているストッパ凸部１７に係止されて、ロックカバー２の開き角度を、図１６に示す複数位置で停止させる。ロックカバー２を複数の開き角度で停止させるために、ケース１は、図９に示すように、複数のストッパ凸部１７を設けている。ストッパ凸部１７は、ロックカバー２の係止壁２４に係止されるので、係止壁２４の移動軌跡に一定の間隔離されて配設される。図のケース１は、第１〜第３のストッパ凸部１７を設けているので、ロックカバー２を３つの位置で停止できる。閉じたロックカバー２を開くと、係止壁２４が第１のストッパ凸部１７Ａに当接する位置で停止される。さらに、強い力でロックカバー２が開かれると、連結部２１が弾性変形して、係止壁２４が第１のストッパ凸部１７Ａを越える。この状態で、ロックカバー２は停止位置からさらに開くことができる。第１のストッパ凸部１７Ａを越えて開かれるロックカバー２は、係止壁２４が第２のストッパ凸部１７Ｂに当接する位置で停止される。この状態から、さらにロックカバー２が強く開かれると、連結部２１が弾性変形して係止壁２４が第２のストッパ凸部１７Ｂを越え、図１７に示すように、係止壁２４が最後の第３のストッパ凸部１７Ｃに当接する位置で停止される。係止壁２４が最後のストッパ凸部１７に当接する状態におけるロックカバー２の開口角が最大開口角である。
【００３４】
図９のケース１は、最後に係止壁２４が当接する第３のストッパ凸部１７Ｃを、第１のストッパ凸部１７Ａと第２のストッパ凸部１７Ｂよりも大きくしている。このため、ロックカバー２は、係止壁２４を第３のストッパ凸部１７Ｃに当接させる位置まで開かれると、この状態からさらに開かれるのを強い力で阻止する。係止壁２４が最後の第３のストッパ凸部１７Ｃに当接する状態で、さらに強い力でロックカバー２が開かれると、すなわち、ロックカバー２が最大開口角よりも開かれると、ロックカバー２がケース１から外れるようにしている。このことを実現するために、ケース１に設けている連結軸１０の先端面を傾斜面１０Ａとしている。傾斜面１０Ａは、図において下から上に向かって下り勾配に傾斜するようにしている。この形状の連結軸１０は、係止壁２４を最後の第３のストッパ凸部１７Ｃに当接しているロックカバー２がさらに開かれると、軸穴２２のリブ２９が連結軸１０の傾斜面１０Ａに沿って移動すると共に、連結部２１が弾性変形して連結軸１０をロックカバー２の軸穴２２の外部に出して、ロックカバー２をケース１から外す。
【００３５】
ロックカバー２がケース１から外れる機構を、図１７ないし図１９を用いて以下に説明する。
(1)  図１７に示すロックカバー２は最大開口角まで開かれており、係止壁２４は最後の第３のストッパ凸部１７Ｃに当接している。この状態から、ロックカバー２を矢印Ａで示す方向にさらに開こうとすると、連結軸１０を中心として回動しようとするロックカバー２の係止壁２４が、図１８の矢印Ｃで示すように、第３のストッパ凸部１７Ｃを押圧する。
(2)  第３のストッパ凸部１７Ｃを押圧するロックカバー２は、その反動で、係止壁２４と第３のストッパ凸部１７Ｃとの接触部分を支点として矢印Ａで示す方向に傾動しようとする。このとき、軸穴２２は、連結軸１０の傾斜面１０Ａに沿って移動する。すなわち、軸穴２２のリブ２９が図１８の矢印Ｂで示す方向に移動して、連結軸１０の傾斜面１０Ａに沿って競り上がる。
(3)  軸穴２２のリブ２９が連結軸１０の傾斜面１０Ａに沿って競り上がると、ロックカバー２の一対の連結部２１は、図１９の矢印Ｄで示す方向に弾性変形して、先端が開く状態となる。このとき、連結部２１の先端の係止壁２４は、第３のストッパ凸部１７Ｃに沿って競り上がる。
とくに、図に示す第３のストッパ凸部１７Ｃは、係止壁２４と当接する側の先端部を傾斜面１７ａとしているので、この傾斜面１７ａに沿ってスムーズに競り上がる状態となる。
(4)  係止壁２４が第３のストッパ凸部１７Ｃの傾斜面１７ａに沿って競り上がると、連結部２１がさらに弾性変形して開かれて、軸穴２２を設けた部分がさらに開かれる。
(5)  一対の軸穴２２の間隔が広がると、軸穴２２のリブ２９は、傾斜面１０Ａに沿ってよりスムーズに競り上がる状態となる。
以上のようにして、軸穴２２が連結軸１０から外れて、ロックカバー２がケース１から外れる。このようにして、ロックカバー２が強い力で開かれるとき、ロックカバー２がケース１から外れる構造は、ロックカバー２やその連結機構部が破損するのを有効に防止する。
【００３６】
図に示す第３のストッパ凸部１７Ｃは、係止壁２４と当接する側（図１８において左下側）の先端部に傾斜面１７ａを設けており、この傾斜面１７ａに沿って係止壁２４を移動させて、一対の連結部２１を開く方向に弾性変形しやすくしている。ただ、第３のストッパ凸部は、必ずしも係止壁と当接する上部に傾斜面を設ける必要はない。それは、第３のストッパ凸部に係止壁が当接する状態において、ロックカバーを回動させると、軸穴のリブが連結軸の傾斜面に沿って競り上がって、軸穴が連結軸から外れるからである。
【００３７】
さらに、ケース１から外れたロックカバー２は、側壁２０の連結部２１を弾性変形させて、軸穴２２に連結軸１０を案内して簡単に取り付け直しできる。ロックカバー２は、たとえば図２０に示すように、連結部２１とは反対側の先端縁を、収納部４の第１の突出部１ａ側の開口縁に位置させる状態で、側壁２０の連結部２１を矢印Ｅで示すように上から下に移動させてケース１に連結できる。とくに、図に示すように、上に向かって下り勾配に傾斜する傾斜面１０Ａを有する連結軸１０は、上から下に側壁２０の連結部２１を移動させることで、スムーズに軸穴２２に連結軸１０を入れて連結できる。
【００３８】
さらに、図のロックカバー２は、ケース１の収納部４を閉塞する状態で、確実に定位置に連結されるように、軸穴２２を設けている端部側の内面に、係止凸部２５を設けている。ロックカバー２を閉じる状態で、この係止凸部２５を案内して係止するストッパ凹部１８をケース１の側面に設けている。図のロックカバー２は、係止凸部２５を側壁２０の側縁に設けており、ケース１には、この係止凸部２５を案内する位置にストッパ凹部１８を設けている。このロックカバー２は、係止凸部２５をストッパ凹部１８に係止して、クリック状態で閉塞される。
【００３９】
さらに、ロックカバー２に設けられる係止凸部２５は、ロック解除レバー３を操作して開かれたロックカバー２を、開状態に保持するはたらきもする。ロック解除レバー３をロック位置から解除位置に操作して開かれるロックカバー２は、図２１に示すように、第１の突出部１ａ側の先端部がわずかに開かれる。このとき、係止凸部２５は、ストッパ凹部１８との係止状態が解除されて上昇し、上ケース１Ａの側面に当接して静止する。その後、ロック解除レバー３が解除位置からロック位置に復帰しても、係止凸部２５がケース１の側面に当接して、ロックカバー２は開状態に保持される。図１７と図２２に示す上ケース１Ａは、ストッパ凹部１８の上方に、開状態のロックカバー２の係止凸部２５を案内する保持凹部１９を設けている。この保持凹部１９は、ストッパ凹部１８のように、係止凸部２５をクリック状態で係止するのではなく、係止凸部２５を当接させる状態で静止させて、ロックカバー２を開状態に保持するものである。ただ、この保持凹部は必ずしも必要なく、係止凸部を上ケースの側面に当接させて停止することもできる。ロックカバー２は、ロック解除レバー３を操作して先端が開いた状態では、図２２に示すように、係止凸部２５がストッパ凹部１８から外れて上方に移動し、保持凹部１９で停止する。この状態で、ロックカバー２は、図１８に示すように、先端がわずかに開かれた開状態に保持される。ロックカバー２の停止位置は、係止凸部２５の突出量と保持凹部１９の位置及び深さで決定される。このように、ロック解除レバー３を操作して開かれたロックカバー２を開状態に保持する構造は、ロックカバー２の開かれた部分を持って便利に開くことができる。
【００４０】
さらに、図８に示すロックカバー２は、収納部４の上方に位置する上面に放熱穴４９を開口している。この放熱穴４９は、収納部４に装着されて充電される電池９から発生する熱を外部に放熱する。図のロックカバー２は、放熱穴４９を円形状としているが、放熱穴はスリット状とすることもできる。さらに図のロックカバー２は、複数の放熱穴４９を開口しており、収納部４内の空気を効率よく外部に排気して放熱できるようにしている。
【００４１】
さらに、図の電気機器は、ロックカバー２が収納部４を閉じる状態で、ロックカバー２をロック状態に停止するために、図１５と図２３に示すように、ロック係止部２３を設けている。ロック係止部２３は、軸穴２２の反対側の端部に設けられる。図のロックカバー２は、内面に突出するロックリブ２６を一体的に成形して設け、このロックリブ２６の下端に凸部を設けてロック係止部２３としている。このロック係止部２３は、ロック解除レバー３に設けているロック凸部３３が係止されて、ロックカバー２を閉じる状態にロックする。図のロックカバー２は、内面の両側部分に一対のロック係止部２３を設けて、各々のロック係止部２３にロック解除レバー３のロック凸部３３を係止する。
【００４２】
さらに、ロックカバー２は、ロック解除レバー３でスムーズに開かれるように、内面に突出して、押開きリブ２７を一体的に成形して設けている。この押開きリブ２７も軸穴２２の反対側の端部に設けている。図のロックカバー２は、内面の中央に押開きリブ２７を設けている。押開きリブ２７は、図２１に示すように、ロック解除レバー３に設けている開き凸部３２に押されて、ロックカバー２を強制的に開くもので、開き凸部３２との接触面を傾斜摺動面２７Ａとしている。傾斜摺動面２７Ａは、軸穴２２から離れるにしたがって突出方向に傾斜している。この押開きリブ２７は、ロック解除レバー３の開き凸部３２が押し上げられると、傾斜摺動面２７Ａが傾斜してロックカバー２を次第に押し上げて開くことができる。
【００４３】
さらに、ロックカバー２の側壁２０は、図２ないし図４、図６及び図１５に示すように、連結部２１の反対側の端部両側に突出してツマミ凸部２８を設けている。このロックカバー２は、ツマミ凸部２８を指でつかんでスムーズに開くことができる。
【００４４】
ロック解除レバー３は、全体をプラスチックで一体的に成形している。ロック解除レバー３は、これを操作しないロック位置にあっては、収納部４を閉塞する位置にあるロックカバー２を開かないようにロック状態とする。ロック解除レバー３がロック位置から解除位置に移動されると、ロックカバー２のロック状態を解除すると共に、電池を収納部４から押し出して取り出しやすくする。さらに、図２１のロック解除レバー３は、ロック状態を解除したロックカバー２を多少開いて、これを開きやすくしている。ただ、本発明の電気機器は、ロック解除レバーで必ずしもロック状態を解除したロックカバーを開く必要はない。
【００４５】
以上の動作をするロック解除レバー３は、ケース１に回転できるように連結する回転軸３４と、操作されない状態ではロック位置に停止させる押圧部３５と、回転軸３４を中心に回動されて、ロック位置から解除位置に移動されてロックカバー２のロック状態を解除するロック凸部３３と、収納部４に装着している電池を押す押出凸部３１と、ロック状態の解除されたロックカバー２を開く開き凸部３２と、ケース１の開口窓１４から外部に表出されるツマミ部３０とを備える。
【００４６】
図１０ないし図１４のロック解除レバー３は、回転軸３４を中心に回動して、ロック状態を解除して電池を押し出すようにしている。この構造のロック解除レバー３は、簡単な構造で確実に動作できる特長がある。ただ、本発明の電気機器は、必ずしもロック解除レバーを回転させて前述の動作をさせる必要はない。図示しないが、ロック解除レバーは、往復運動してロック状態を解除して電池を押し出すこともできる。
【００４７】
図のロック解除レバー３は、第１の突出部１ａの湾曲する内面を摺動して、ケース１の開口窓１４を内面から閉塞する摺動プレート部３６を設け、この摺動プレート部３６から突出して、開口窓１４の内部で上下に移動するようにツマミ部３０を設けている。開口窓１４を設けている第１の突出部１ａの内面は、そのほぼ全体を、図２１に示すように、回転軸３４を中心とする断面視において円弧状に湾曲する形状としている。摺動プレート部３６は、この湾曲面に沿う形状として、開口窓１４の内面を摺動して移動できるようにしている。
【００４８】
摺動プレート部３６は、その内側に突出するように対向壁３７を一体的に成形して設け、この対向壁３７の両側に突出して一対の回転軸３４を設けている。回転軸３４は、摺動プレート部３６の湾曲する円弧状の中心に位置する。一対の回転軸３４は直線状に配置される。ロック解除レバー３は、この回転軸３４を中心に傾動して、ロック位置から解除位置に移動される。ケース１は、図１０ないし図１４と図２３に示すように、この回転軸３４を回転できるように支持する軸受リブ４６を内面に突出して設けている。軸受リブ４６は、上端に回転軸３４の受け凹部４６Ａを設けて、ここに回転軸３４を回転できるように案内している。回転軸３４を軸受リブ４６に入れているロック解除レバー３は、上に抜けるのを、上ケース１Ａで阻止している。摺動プレート部３６が、上ケース１Ａの第１の突出部１ａの開口窓１４を設けている内面を摺動して、上に移動するのが阻止されるからである。
【００４９】
ロック解除レバー３をロック位置に保持するために、ケース１に弾性的に変形する弾性リブ４７を一体的に成形して設けている。弾性リブ４７は、ケース１の内面に突出して設けられる。図のケース１は、軸受リブ４６の外側に弾性リブ４７を配設している。弾性リブ４７は板状で、その幅方向を回転軸３４の軸方向とする姿勢で、ケース１に設けている。この弾性リブ４７がロック解除レバー３を弾性的に押圧してロック位置とするために、ロック解除レバー３には、弾性リブ４７に当接して、弾性リブ４７に弾性的に押圧される押圧部３５を設けている。図のロック解除レバー３は、対向壁３７の外側面に突出して、上下に伸びる板状の押圧部３５を設けている。ロック解除レバー３がロック位置から解除位置に移動されると、弾性リブ４７がロック解除レバー３の押圧部３５を弾性的に押圧して、ロック解除レバー３を解除位置からロック位置に弾性的に復帰させるようにしている。この構造の電気機器は、金属バネ等を内蔵させることなく、ロック解除レバー３を解除位置からロック位置に復帰できるので、構造を簡単にして安価にできる。
【００５０】
ロック解除レバー３は、対向壁３７の下端でその先端を電池の押出凸部３１としている。この押出凸部３１は、ロック解除レバー３がロック位置にあるときは、図２３に示すように、電池の収納部４には突出しない。ロック解除レバー３がロック位置から解除位置に操作されると、図２４に示すように、押出凸部３１はケース１に設けた押出開口４３から電池の収納部４に突出して、収納部４の電池９を押し上げて取り出しやすくする。図２４の電気機器は、電池９の凸部電極側を収納部４から押し出しする位置に押出凸部３１を配設している。さらに、電池の収納部４には、電池の平面電極側を弾性的に押圧する弾性端子６を配置している。この電気機器は、ロック解除レバー３を解除位置に移動させると、凸部電極側が押出凸部３１で押し出される。電池９がこの状態になると、弾性端子６が電池９を押圧して、電池９を押し出し状態に保持する。したがって、この電気機器は、押出凸部３１が電池９を収納部４から押し上げると、ロック解除レバー３をロック位置に復帰させた後も、電池９は押し上げられた状態に保持されて、取り出しやすくできる。
【００５１】
ロック解除レバー３は、摺動プレート部３６の先端部で、その両側を突出させて、ロック凸部３３としている。ロック凸部３３は、ロック解除レバー３をロック位置とする状態で、ケース１のロック開口１５からケース１外に突出する。ケース１の外部に突出するロック凸部３３は、ロックカバー２のロック係止部２３に係止されて、ロックカバー２をロック状態とする。ロック解除レバー３がロック位置から解除位置に移動されると、ロック凸部３３は、ロック開口１５に引き込まれて、ロックカバー２のロック状態を解除する。
【００５２】
ロック状態が解除されたロックカバー２は、開き凸部３２で強制的に開かれる。図のロック解除レバー３は、摺動プレート部３６の下面中央にメインリブ３８を一体的に成形して設け、このメインリブ３８に開き凸部３２を設けている。開き凸部３２は、ロック解除レバー３がロック位置から解除位置に移動されると、ロック状態の解除されたロックカバー２を強制的に押し開く。この開き凸部３２は、上ケース１Ａの開き開口４４から突出して、ロックカバー２を強制的に持ち上げて開く。開き開口４４は収納部４の中央で電池の間に開口しているので、ロック解除レバー３は、開き開口４４から突出する位置に開き凸部３２を設けている。開き凸部３２は、ロックカバー２の内面の押開きリブ２７を押して、ロックカバー２を開く。開き凸部３２と押開きリブ２７は、接触面を傾斜摺動面３２Ａ、２７Ａとしている。図２１に示すように、ロック解除レバー３がロックカバー２から解除位置に移動されて、開き凸部３２が上昇されると、傾斜摺動面２７Ａ、３２Ａが互いに摺動しながら、押開きリブ２７が押し上げられて、ロックカバー２が開かれる。このように、傾斜摺動面２７Ａ、３２Ａを摺動させながら、ロックカバー２を開く構造は、ロックカバー２をスムーズに開くことができる。
【図面の簡単な説明】
【００５３】
【図１】従来の電気機器の断面図である。
【図２】本発明の一実施例にかかる電気機器の平面図である。
【図３】図２に示す電気機器の側面図である。
【図４】図２に示す電気機器の正面図である。
【図５】図２に示す電気機器の背面図である。
【図６】図２に示す電気機器のロックカバーを開いた状態を示す斜視図である。
【図７】図２に示す電気機器の横断面図である。
【図８】図２に示す電気機器のロックカバーを外した状態を示す平面図である。
【図９】ロックカバーを外したケースの第２の突出部近傍を示す斜視図である。
【図１０】ロックカバーを外したケースの第１の突出部近傍を示す一部断面斜視図である。
【図１１】上ケースを外した電気機器の斜視図である。
【図１２】上ケースを外した電気機器のロック解除レバー近傍を示す拡大斜視図である。
【図１３】上ケースと回路基板を外した電気機器の斜視図である。
【図１４】上ケースと回路基板を外した電気機器のロック解除レバー近傍を示す拡大斜視図である。
【図１５】ロックカバーの底面斜視図である。
【図１６】電気機器のロックカバーの開き角度を示す側面図である。
【図１７】図３に示す電気機器のロックカバーを最大開口角まで開いた状態を示す側面図である。
【図１８】図１７に示す電気機器のロックカバーと連結軸及びストッパ凸部の位置関係を示す拡大断面図である。
【図１９】図１７に示す電気機器のロックカバーとケースの連結部分を示す平面図である。
【図２０】ロックカバーをケースに取り付ける状態を示す側面図である。
【図２１】図２に示す電気機器の縦断面図であって、開き凸部でロックカバーを押し上げる状態を示す図である。
【図２２】図２１に示す電気機器の係止凸部近傍を示す横断面図である。
【図２３】図２に示す電気機器の縦断面図である。
【図２４】図２に示す電気機器の縦断面図であって、押出凸部で電池を押し上げる状態を示す図である。
【符号の説明】
【００５４】
１…ケース              １Ａ…上ケース          １Ｂ…下ケース
１ａ…第１の突出部      １ｂ…第２の突出部
２…ロックカバー
３…ロック解除レバー
４…収納部
５…回路基板
６…弾性端子
７…金属端子
９…電池
１０…連結軸            １０Ａ…傾斜面
１１…回動面
１２…低段差部
１３…光窓
１４…開口窓
１５…ロック開口
１６…段差凹部
１７…ストッパ凸部      １７Ａ…第１のストッパ凸部
１７Ｂ…第２のストッパ凸部
１７Ｃ…第３のストッパ凸部
１７ａ…傾斜面
１８…ストッパ凹部
１９…保持凹部
２０…側壁
２１…連結部
２２…軸穴
２３…ロック係止部
２４…係止壁
２５…係止凸部
２６…ロックリブ
２７…押開きリブ        ２７Ａ…傾斜摺動面
２８…ツマミ凸部
２９…リブ
３０…ツマミ部
３１…押出凸部
３２…開き凸部          ３２Ａ…傾斜摺動面
３３…ロック凸部
３４…回転軸
３５…押圧部
３６…摺動プレート部
３７…対向壁
３８…メインリブ
４０…セット溝
４１…端子窓
４２…端子窓
４３…押出開口
４４…開き開口
４５…中間突出部
４６…軸受リブ          ４６Ａ…受け凹部
４７…弾性リブ
４８…挿入窓
４９…放熱穴
５０…パイロットランプ
５１…プラグ
５２…ソケット
５３…電源端子
６１…ケース
６２…カバー
６４…収納部
６５…セット溝
６９…電池
【図１】
2005129421.tif 000003
【図２】
2005129421.tif 000004
【図３】
2005129421.tif 000005
【図４】
2005129421.tif 000006
【図５】
2005129421.tif 000007
【図６】
2005129421.tif 000008
【図７】
2005129421.tif 000009
【図８】
2005129421.tif 000010
【図９】
2005129421.tif 000011
【図１０】
2005129421.tif 000012
【図１１】
2005129421.tif 000013
【図１２】
2005129421.tif 000014
【図１３】
2005129421.tif 000015
【図１４】
2005129421.tif 000016
【図１５】
2005129421.tif 000017
【図１６】
2005129421.tif 000018
【図１７】
2005129421.tif 000019
【図１８】
2005129421.tif 000020
【図１９】
2005129421.tif 000021
【図２０】
2005129421.tif 000022
【図２１】
2005129421.tif 000023
【図２２】
2005129421.tif 000024
【図２３】
2005129421.tif 000025
【図２４】
2005129421.tif 000026